(57)【要約】【課題】シートバックのフレーム構造を、着座者が体を左右に捩る動きに合わせて適切に追従させられるようにする。【解決手段】着座者の背凭れ荷重を高さ方向に並ぶ複数の分割フレーム１３〜１７によって支えるように構成されたシートバック２であって、揺動機構Ｓｓと、センターピラー１２と、を有する。揺動機構Ｓｓは、複数の分割フレーム１３〜１７を本体フレーム１１に対してそれぞれ着座者の身体が位置する前部を中心にシート幅方向に個別に揺動させられるように支持する。センターピラー１２は、複数の分割フレーム１３〜１７を弾性力により相互に高さ方向に整列させた初期位置に保持する。センターピラー１２は、複数の分割フレーム１３〜１７間を繋ぐように複数の分割フレーム１３〜１７間に架け渡されて設けられている。【選択図】図２
2014057623.tif 000002
【特許請求の範囲】
【請求項１】
着座者の背凭れ荷重を高さ方向に並ぶ複数の分割フレームによって支えるように構成されたシートバックであって、
前記複数の分割フレームを本体フレームに対してそれぞれ着座者の身体が位置する前部を中心にシート幅方向に個別に揺動させられるように支持する揺動機構と、
前記複数の分割フレームを弾性力により相互に高さ方向に整列させた初期位置に保持する弾性部材と、を有し、
前記弾性部材が、前記複数の分割フレーム間を繋ぐように前記複数の分割フレーム間に架け渡されて設けられていることを特徴とするシートバック。
【請求項２】
請求項１に記載のシートバックであって、
前記弾性部材が、前記複数の分割フレームを高さ方向に貫通するように差し込まれて設けられ、その下端部が前記本体フレームに固定されて片持ち状に支持された状態となって設けられていることを特徴するシートバック。
【請求項３】
請求項１又は請求項２に記載のシートバックであって、
前記揺動機構が、前記複数の分割フレームのうち上側に位置する分割フレームが下側に位置する分割フレームよりも回転半径が大きくなるように構成されていることを特徴とするシートバック。
【発明の詳細な説明】
【技術分野】
【０００１】
本発明は、シートバックに関する。詳しくは、着座者の背凭れ荷重を高さ方向に並ぶ複数の分割フレームによって支えるように構成されたシートバックに関する。
【背景技術】
【０００２】
従来、車両用シートにおいて、シートバックのフレーム構造が中央の縦軸に対して左右に揺動可能に構成されて、着座者が体を左右に捩る動きに追従できるように構成されたものが知られている（特許文献１）。具体的には、上記シートバックのフレーム構造は、シートバックの背凭れ荷重を受ける複数の分割フレームが、高さ方向に並べられて、中央の縦軸に対してそれぞれ揺動自在に枢着された構成となっている。これにより、各分割フレームは、常時は、シートバックにかかる背凭れ荷重を、中央の縦軸において受け止められるようになっていると共に、着座者が体を左右に捩る時には、着座者の体の動きに合わせて縦軸を中心に揺動することのできる構成とされている。
【先行技術文献】
【特許文献】
【０００３】
【特許文献１】特開２００６−３１４４３７号公報
【発明の概要】
【発明が解決しようとする課題】
【０００４】
しかし、上記従来技術では、各分割フレームの揺動中心となる中央の縦軸は、シートバックのフレーム構造を成すものとして、着座者より後方側に離れた位置に設定されているため、各分割フレームの揺動中心と着座者が体を捩る時の回転中心とが一致しない使用性の悪い構成となっている。本発明は、上記問題を解決するものとして創案されたものであって、本発明が解決しようとする課題は、シートバックのフレーム構造を、着座者が体を左右に捩る動きに合わせて適切に追従させられるようにすることにある。
【課題を解決するための手段】
【０００５】
上記課題を解決するために、本発明のシートバックは次の手段をとる。
第１の発明は、着座者の背凭れ荷重を高さ方向に並ぶ複数の分割フレームによって支えるように構成されたシートバックであって、揺動機構と、弾性部材と、を有する。揺動機構は、複数の分割フレームを本体フレームに対してそれぞれ着座者の身体が位置する前部を中心にシート幅方向に個別に揺動させられるように支持する。弾性部材は、複数の分割フレームを弾性力により相互に高さ方向に整列させた初期位置に保持する。弾性部材は、複数の分割フレーム間を繋ぐように複数の分割フレーム間に架け渡されて設けられている。
【０００６】
この第１の発明によれば、各分割フレームは、それらの揺動時の回転中心が、着座者の身体が位置する前部に設定されていることにより、着座者が体を左右に捩る時の回転中心に近づけられた状態されている。これにより、各分割フレームは、着座者が体を左右に捩る動きに合わせて、背部の形に合わせて適切に追従して動けるようになっている。また、各分割フレームは、これらの間に架け渡された弾性部材により、着座者の体が元の位置に戻される動きに合わせて、初期位置に向けて適切に追従して動けるようになっている。このように、シートバックのフレーム構造を、着座者が体を左右に捩る動きに合わせて適切に追従させられるようにすることができる。
【０００７】
第２の発明は、上述した第１の発明において、弾性部材が、複数の分割フレームを高さ方向に貫通するように差し込まれて設けられ、その下端部が、本体フレームに固定されて片持ち状に支持された状態となって設けられているものである。
【０００８】
この第２の発明によれば、弾性部材は、その固定端となる下端部を支点に、上端部に向かって漸次しなやかに撓み易くなっていく構成とされる。これにより、各分割フレームを、着座者が体を捩る動きと同じように、上方側に向かって分割フレームの横移動量が漸次大きくなっていくように上方側の分割フレームをしなやかに大きく揺動させることができる。したがって、シートバックのフレーム構造を、着座者が体を捩る動きにより合わせた態様で追従させることができる。
【０００９】
第３の発明は、上述した第１又は第２の発明において、揺動機構が、複数の分割フレームのうち上側に位置する分割フレームが下側に位置する分割フレームよりも回転半径が大きくなるように構成されているものである。
【００１０】
この第３の発明によれば、各分割フレームは、着座者が体を捩る動きと同じように、上側の分割フレームが下側の分割フレームよりも大きな回転半径で揺動する。したがって、シートバックのフレーム構造を、着座者が体を捩る動きにより合わせた態様で追従させることができる。
【図面の簡単な説明】
【００１１】
【図１】実施例１のシートバックのフレーム構造を表した斜視図である。
【図２】着座者が体を横に捩った状態を表した斜視図である。
【図３】シートバックのフレーム構造を分解して表した斜視図である。
【図４】図１のIV-IV線断面図である。
【図５】図１のV-V線断面図である。
【図６】図２のVI-VI線断面図である。
【図７】実施例２のシートバックの要部断面図である。
【発明を実施するための形態】
【００１２】
以下に、本発明を実施するための形態について、図面を用いて説明する。
【実施例１】
【００１３】
始めに、実施例１のシートバック２の構成について、図１〜図６を用いて説明する。本実施例のシートバック２は、図１に示すように、自動車の助手席シートとして構成された車両用シート１の背凭れとして構成されているものである。ここで、上記車両用シート１は、着座者の背凭れとなるシートバック２と、着座部となるシートクッション３と、頭凭れとなるヘッドレスト４と、を有して構成されている。ヘッドレスト４は、シートバック２の上部に一体的に連続した山状の形を成すように延長されて形成されている。
【００１４】
上記シートバック２は、その骨格を成すシートバックフレーム１０の各サイドフレーム１１Ａの下端部が、シートクッション３の骨格を成す左右の各サイドフレーム３Ａの後端部に対して、それぞれ、回転止め可能な回転軸装置として機能するリクライニング装置５を間に介して連結された状態とされている。これにより、シートバック２は、シートクッション３に対して、背凭れ角度を前後方向に自由に調整することができる状態に連結された状態とされている。
【００１５】
上記シートバック２は、常時は、着座者から受ける前方側からの背凭れ荷重を、シートバックフレーム１０の構造強度によって、定位置で安定的に受け止められるようになっている。しかし、シートバック２は、図２に示すように、シートバックフレーム１０に設定された揺動機構Ｓｓにより、着座者が後方視認などのために体を左右に捩る動きをする時には、シートバックフレーム１０がこの動きに追従してシート幅方向に揺動し、着座者が体を左右に捩る動きを阻害しない状態をとることができるように構成とされている。詳しくは、上記シートバックフレーム１０は、着座者が体を左右に捩ることで、その高さ方向に並ぶ複数個（５個）の分割フレーム１３〜１７が、着座者の背部によって押し動かされる格好で、個々に、着座者の背部の形に沿った位置へと追従して移動するようになっている。
【００１６】
また、シートバックフレーム１０は、着座者が捩った体を元の位置に戻す動きに合わせて、上記移動した各分割フレーム１３〜１７が、図１に示す移動前の高さ方向に整列した初期位置へと追従して戻されるようになっている。このように、シートバック２は、着座者が体を左右に捩ったり戻したりする動きに合わせて、シートバックフレーム１０の各分割フレーム１３〜１７がこれに追従して移動することで、着座者が首だけを大きく捩ることなく体全体を捩らせて容易に後方視認を行えるようにアシストしたり、その後に捩った体を戻すだけでシートバックフレーム１０を元の初期位置の状態に容易に戻せるようにアシストしたりすることができるようになっている。
【００１７】
以下、上述したシートバック２の具体的な構成について、詳しく説明する。シートバック２は、図４〜図５に示すように、上述したシートバックフレーム１０と、シートバックフレーム１０の前面部に組み付けられたクッション材となる発泡ウレタン製のパッド２Ｐと、パッド２Ｐの表面全体を覆うように広く張設された布製の表皮材２Ｃと、を有する。上記パッド２Ｐは、図４に示すように、高さ方向に複数（５個）に分割された構成となっており、シートバックフレーム１０の前面部に高さ方向に複数個（５個）並んで設けられた各分割フレーム１３〜１７の前面部にそれぞれ個別にセットされて設けられることにより、シートバックフレーム１０の前面部を広く覆った状態に被せ付けられた状態とされている。
【００１８】
また、表皮材２Ｃは、上記各パッド２Ｐの前面をひとまとめに覆うように被せ付けられた状態として、その上下左右の各周縁部が、シートバックフレーム１０の上下左右の各外周縁部を通って後方側に引き込まれて張設された状態として、シートバックフレーム１０に止着されて固定された状態とされている。詳しくは、表皮材２Ｃは、図示は省略されているが、その上側の周縁部が、シートバックフレーム１０の後述するアッパフレーム１１Ｂの後部に上方側から引き込まれて止着された状態とされており、下側の周縁部が、シートバックフレーム１０の後述するベースフレーム１１Ｃの後部に下方側から引き込まれて止着された状態とされている。また、表皮材２Ｃは、図５に示すように、その左右両側の各周縁部が、後述する各分割フレーム１３〜１７のサイドフレーム１３Ａ〜１６Ａの後部にそれぞれ外側から引き込まれて止着された状態とされている。
【００１９】
次に、図１〜図３を参照して、シートバックフレーム１０の構成について説明する。シートバックフレーム１０は、固定体となる鋼製の本体フレーム１１と、本体フレーム１１に対して下端部が固定された状態となって設けられたセンターピラー１２と、本体フレーム１１に対して個々にシート幅方向にスライド可能となるように組み付けられた複数個（５個）の分割フレーム１３〜１７と、によって構成されている。ここで、図示は省略されているが、上述した本体フレーム１１の背部には、本体フレーム１１の背面全体を覆うように図示しない樹脂製のバックカバーが装着されている。
【００２０】
図３に示すように、上述した本体フレーム１１は、左右一対の縦長状の鋼板材より成るサイドフレーム１１Ａと、これらサイドフレーム１１Ａの上端部間に架け渡されて設けられた山状に曲げられた形の鋼管材より成るアッパフレーム１１Ｂと、両サイドフレーム１１Ａの下端部間に架け渡されて設けられた横長状の鋼板材より成るベースフレーム１１Ｃと、両サイドフレーム１１Ａ間にシート幅方向に延びるように複数本（５本）高さ方向に並んで設けられたレール１１Ｄ１〜１１Ｄ５と、ベースフレーム１１Ｃのシート幅方向の中央部に固定された円筒状のホルダー１１Ｅと、から構成されている。
【００２１】
各サイドフレーム１１Ａは、それぞれ、一枚の鋼板材が縦長状の形にプレスカットされた後、それらの前縁部と後縁部とがそれぞれシート内側にフランジ状にプレス曲げされて形成されている。アッパフレーム１１Ｂは、一本の鋼管材が所定の長さにプレスカットされた後、上述した山状の形にプレス曲げされて形成されている。上記アッパフレーム１１Ｂは、その両側の端部が、上述した各サイドフレーム１１Ａの上端部にそれぞれあてがえられて溶接されることにより、各サイドフレーム１１Ａ間に架け渡された状態としてこれらに強固に一体的に結合された状態となって設けられている。上記アッパフレーム１１Ｂは、図１に示すように、シートバック２の上部骨格を成すと共に、その山状に曲げられた部分によってヘッドレスト４の骨格も成すように構成されている。
【００２２】
ベースフレーム１１Ｃは、一枚の鋼板材が横長状の形にプレスカットされて形成されている。上記ベースフレーム１１Ｃは、その両側の端部が、各サイドフレーム１１Ａの下端側のシート内側に折り曲げられた前縁部にそれぞれ後方側からあてがえられて溶接されることにより、各サイドフレーム１１Ａ間に架け渡された状態としてこれらに強固に一体的に結合された状態となって設けられている。
【００２３】
上記シートバックフレーム１０は、図１に示すように、上述した本体フレーム１１の各サイドフレーム１１Ａの下端側の外側部が、それぞれ、リクライニング装置５を介してそれらの外側に位置するシートクッション３の各サイドフレーム３Ａに連結された状態とされている。これにより、本体フレーム１１は、着座者から受ける前方側からの背凭れ荷重を、シートクッション３により支えられた定位置で受け止めて支持するようになっている。
【００２４】
センターピラー１２は、本発明の「弾性部材」に相当するものであり、ガラス繊維強化プラスチック製の可撓性を備えた縦長な棒状部材によって構成とされている。上記センターピラー１２は、その下端部が、上述したベースフレーム１１Ｃのシート幅方向の中央部の前面部位に結合された円筒状のホルダー１１Ｅ内にシート上方側から差し込まれて固定された状態として設けられている。これにより、センターピラー１２は、ベースフレーム１１Ｃに対して、片持ち状に支持された状態とされており、その固定端となる下端部を支点に、上端側に向かうほどしなやかに撓み易くなっていく構成とされている。
【００２５】
各レール１１Ｄ１〜１１Ｄ５は、それぞれ、剛性の高い太い鋼線材が弓状に湾曲した形に曲げられて形成されており、本体フレーム１１の各サイドフレーム１１Ａ間にシート後方側に湾曲するように横向きに配置されて高さ方向に並んで設けられた状態とされている。詳しくは、上記５本のレール１１Ｄ１〜１１Ｄ５のうち、上側４本のレール１１Ｄ１〜１１Ｄ４は、各端部が、本体フレーム１１の各サイドフレーム１１Ａにそれぞれあてがえられて溶接されることにより、各サイドフレーム１１Ａ間に架け渡された状態としてこれらに強固に一体的に結合された状態となって設けられている。また、一番下側のレール１１Ｄ５は、上述した本体フレーム１１のベースフレーム１１Ｃ上に一体的に固定された状態として設けられている。詳しくは、一番下側のレール１１Ｄ５は、上記ベースフレーム１１Ｃ上からシート上方側に逆Ｕ字型に延出する形に形成されており、その両端部がベースフレーム１１Ｃ上に一体的に固定された状態として、ベースフレーム１１Ｃよりシート上方側に離間したシート幅方向の中央部位置に、シート幅方向に延びる弓状に湾曲したレール部を位置させるように設けられた状態とされている。
【００２６】
上述した各レール１１Ｄ１〜１１Ｄ５は、一番下側のレール１１Ｄ５から一番上側のレール１１Ｄ１に向かって、そのシート幅方向の長さ（レール長）が順に長くなっていく構成とされている。また、図４に示すように、各レール１１Ｄ１〜１１Ｄ５は、一番下側のレール１１Ｄ５から一番上側のレール１１Ｄ１に向かって、そのシート前後方向の位置が順に後退していくように配置された状態とされている。また、各レール１１Ｄ１〜１１Ｄ５は、それらのシート後方側に弓状に湾曲した曲面の曲率中心が、シートバック２より前側の着座者の身体が位置する前部（骨盤の中心部）に設定されており、互いに同軸上の点を中心に同じ曲率で後方側に湾曲した形に形成されている。詳しくは、各レール１１Ｄ１〜１１Ｄ５は、上述したように、一番下側のレール１１Ｄ５から一番上側のレール１１Ｄ１に向かって、そのシート前後方向の位置が順に後退していくように配置されていることに伴って、曲率半径が順に大きくなる形となって形成されている。
【００２７】
次に、上述した各分割フレーム１３〜１７の具体的な構成について説明する。図１〜図３に示すように、各分割フレーム１３〜１７は、上述した本体フレーム１１に設けられた高さ方向に並ぶ各レール１１Ｄ１〜１１Ｄ５に対して１個ずつ、それぞれシート幅方向にスライド可能となるように組み付けられた状態とされている。更に、各分割フレーム１３〜１７は、上述した本体フレーム１１のベースフレーム１１Ｃ上に立設されたセンターピラー１２がそれらのピラーガイド１３Ｄ〜１７Ｄにそれぞれ高さ方向に貫通して挿通されることにより、常時はセンターピラー１２の弾性力（剛性）によって、それぞれが中央の初期位置で高さ方向に整列した状態に保持された状態とされている（図１参照）。そして、図２に示すように、各分割フレーム１３〜１７は、着座者が体を左右に捩ることにより、着座者の背部によって押し動かされる格好で、上記センターピラー１２を曲げ撓ませながら、個々に、各レール１１Ｄ１〜１１Ｄ５の形状に沿って、着座者の背部の形に沿った位置へと追従して移動するようになっている。
【００２８】
次に、各分割フレーム１３〜１７の具体的な構成について説明する。なお、各分割フレーム１３〜１７は、互いのシート幅方向の寸法関係は異なるものの、互いの基本的構成は同じものとなっているため、以下では、これらに共通の部品構成について説明する時には、分割フレーム１３の構成に係る符号の後ろに括弧書きで他の分割フレーム１４〜１７の構成に係る符号をつけてまとめて説明することとする。すなわち、分割フレーム１３（１４〜１７）は、図３に示すように、左右一対の立板状の鋼板材より成るサイドフレーム１３Ａ（１４Ａ〜１６Ａ）と、これらサイドフレーム１３Ａ（１４Ａ〜１６Ａ）の中央部間に架け渡された横板状の鋼板材より成る架橋フレーム１３Ｂ（１４Ｂ〜１７Ｂ）と、架橋フレーム１３Ｂ（１４Ｂ〜１７Ｂ）の後面部に結合された左右一対のスライダ１３Ｃ（１４Ｃ〜１７Ｃ）と、架橋フレーム１３Ｂ（１４Ｂ〜１７Ｂ）のシート幅方向の中央部の前面部位に結合された円筒状のピラーガイド１３Ｄ（１４Ｄ〜１７Ｄ）と、によって構成されている。
【００２９】
図５に示すように、各サイドフレーム１３Ａ（１４Ａ〜１６Ａ）は、それぞれ、一枚の鋼板材が所定の形にプレスカットされた後、それらの前縁部がシート外側に向かって後方側に曲げ返されると共に、後縁部がシート内側にフランジ状に折り曲げられるようにそれぞれプレス曲げされて形成されている。各サイドフレーム１３Ａ（１４Ａ〜１６Ａ）の前縁部のシート外側に曲げ返された部分には、各曲げ返された部分の空間内に前述した表皮材２Ｃの左右の各周縁部がそれぞれ引き込まれて図示しないクリップによって止着された状態とされるようになっている。
【００３０】
架橋フレーム１３Ｂ（１４Ｂ〜１７Ｂ）は、一枚の鋼板材が横長状の形にプレスカットされて形成されている。上記架橋フレーム１３Ｂ（１４Ｂ〜１７Ｂ）は、その両側の端部が、上述した各サイドフレーム１３Ａ（１４Ａ〜１６Ａ）のシート内側に折り曲げられた後縁部にそれぞれ前方側からあてがえられて溶接されることにより、各サイドフレーム１３Ａ（１４Ａ〜１６Ａ）間に架け渡された状態としてこれらに強固に一体的に結合された状態となって設けられている。上記架橋フレーム１３Ｂ（１４Ｂ〜１７Ｂ）は、上述した本体フレーム１１に設けられたレール１１Ｄ１（１１Ｄ２〜１１Ｄ５）と同様に後方側に弓状に湾曲した形に形成されている。
【００３１】
各スライダ１３Ｃ（１４Ｃ〜１７Ｃ）は、上述した架橋フレーム１３Ｂ（１４Ｂ〜１７Ｂ）の後面部上の左右二箇所の対称位置にそれぞれ一体的に結合されて設けられており、図３に示すように、本体フレーム１１に設けられたレール１１Ｄ１（１１Ｄ２〜１１Ｄ５）をその内部に設けられた滑車１３Ｃ１（１４Ｃ１〜１７Ｃ１）と内壁との間の隙間内に挿通させた状態として、レール１１Ｄ１（１１Ｄ２〜１１Ｄ５）の形状に沿ってシート幅方向にスライドすることができるようにレール１１Ｄ１（１１Ｄ２〜１１Ｄ５）に組み付けられた状態とされている（図６参照）。図１に示すように、ピラーガイド１３Ｄ（１４Ｄ〜１７Ｄ）は、架橋フレーム１３Ｂ（１４Ｂ〜１７Ｂ）のシート幅方向の中央部の前面部位に一体的に結合されて設けられており、その内部に本体フレーム１１に片持ち支持されたセンターピラー１２が下方側から挿通されて組み付けられた状態とされている。これにより、ピラーガイド１３Ｄ（１４Ｄ〜１７Ｄ）は、上記センターピラー１２の弾性力（剛性）によって、常に、センターピラー１２が真っ直ぐ上方側を向く姿勢となるシート幅方向の中央位置に保持される保持力を受ける状態とされている。
【００３２】
上記構成の各分割フレーム１３〜１７は、常時は、上述したセンターピラー１２の弾性力によって、それぞれ、シート幅方向の中央部に位置付けられた状態として、互いが高さ方向に真っ直ぐに整列した初期位置の状態に保持された状態とされている。この状態において、各分割フレーム１３〜１７は、図４に示すように、それらの各架橋フレーム１３Ｂ〜１７Ｂの前面部によって、シートバックフレーム１０の前側に配された各パッド２Ｐを後方側から面で支持した状態となっている。
【００３３】
ここで、上記各パッド２Ｐは、図５において前述したように、それらの前面を広く覆うように被せ付けられた表皮材２Ｃの左右の各周縁部が、各分割フレーム１３〜１７の各サイドフレーム１３Ａ〜１６Ａにそれぞれ引張り込まれて止着された状態とされていることにより、そのテンションによって、各分割フレーム１３〜１７の架橋フレーム１３Ｂ〜１７Ｂに押し付けられた状態となって設けられている。詳しくは、上記各パッド２Ｐは、各分割フレーム１３〜１７の両サイドフレーム１３Ａ〜１６Ａの外側部にも覆い掛けられるように被せ付けられた状態とされており、表皮材２Ｃによって、両外側から覆い被せられてテンションをかけられた状態とされている。したがって、上記表皮材２Ｃからかけられるテンションによっても、上記各パッド２Ｐを介して、各分割フレーム１３〜１７が、通常時、互いに高さ方向に真っ直ぐに整列した初期位置の状態に保持される保持力（弾発力）を受けるようになっている。
【００３４】
上記各分割フレーム１３〜１７は、図２に示すように、着座者が体を左右に捩ることにより、着座者の背部によって押し動かされる格好で、上記センターピラー１２を曲げ撓ませながら、個々に、各レール１１Ｄ１〜１１Ｄ５の形状に沿って、着座者の背部の形に沿った位置へと追従して移動するようになっている。ここで、各分割フレーム１３〜１７は、上記センターピラー１２が下端部で固定された片持ち状に支持された構成となっており、上端側に向かうほどしなやかに撓み易くなっていく構成とされていることから、上方側に配置されているものほどセンターピラー１２による弾発力の作用を受けにくく、左右にスライドしやすくなっている。また、各分割フレーム１３〜１７は、各レール１１Ｄ１〜１１Ｄ５が上方側に配置されているものほど曲率半径やシート幅方向の寸法が大きくなっていく構成とされていることから、着座者が体を捩った形に合わせて、上方側に配置されているものほど大きくシート幅方向に揺動して、それぞれが着座者の背部の形に合わせた適切な位置へと追従して移動することができるようになっている。
【００３５】
詳しくは、各分割フレーム１３〜１７は、着座者が通常、図示しないシートベルト装置を装着した状態で車両用シート１に着座していることから、着座者の背部がシートバック２に押し付けられた状態で上記の体を捩る動きが行われるようになっている。したがって、各分割フレーム１３〜１７は、着座者が体を左右に捩る動きに合わせて、着座者の背部によって適切に押し動かされる態様で追従移動させられるようになっている。
【００３６】
また、各分割フレーム１３〜１７は、着座者が捩った体を元の位置に戻す時にも、この動きに合わせて、それぞれ、センターピラー１２の弾発力や上述した表皮材２Ｃのテンション作用を受けながら、図１に示す移動前の高さ方向に整列した初期位置へと追従して戻されるようになっている。各分割フレーム１３〜１７は、上述した初期位置に整列された状態、もしくは着座者が体を捩ることで左右に揺動した状態であっても、着座者から受ける前方側からの背凭れ荷重を、本体フレーム１１によって後方側から強く受け止められた状態として、定位置で安定的に受け止められるようになっている。ここで、上述した各レール１１Ｄ１〜１１Ｄ５を用いて各分割フレーム１３〜１７を本体フレーム１１に対して揺動させられるようにする構成が、揺動機構Ｓｓとなっている。
【００３７】
このように、本実施例のシートバック２の構成によれば、各分割フレーム１３〜１７は、それらの揺動時の回転中心が、着座者の身体が位置する前部（骨盤の中心部）に設定されていることにより、着座者が体を左右に捩る時の回転中心に近づけられた状態されている。これにより、各分割フレーム１３〜１７は、着座者が体を左右に捩る動きに合わせて、背部の形に合わせて適切に追従して動けるようになっている。また、各分割フレーム１３〜１７は、これらの間に架け渡された可撓性のセンターピラー１２により、着座者の体が元の位置に戻される動きに合わせて、初期位置に向けて適切に追従して動けるようになっている。このように、シートバック２のフレーム構造を、着座者が体を左右に捩る動きに合わせて適切に追従させられるようにすることができる。
【００３８】
また、センターピラー１２が、複数の分割フレーム１３〜１７を高さ方向に貫通するように差し込まれて設けられ、その下端部が、本体フレーム１１に固定されて片持ち状に支持された状態となって設けられていることから、センターピラー１２は、その固定端となる下端部を支点に、上端部に向かって漸次しなやかに撓み易くなっていく構成とされている。これにより、各分割フレーム１３〜１７を、着座者が体を捩る動きと同じように、上方側に向かって分割フレーム１３〜１７の横移動量が漸次大きくなっていくように上方側の分割フレーム１３〜１７をしなやかに大きく揺動させることができる。したがって、シートバック２のフレーム構造を、着座者が体を捩る動きにより合わせた態様で追従させることができる。
【実施例２】
【００３９】
続いて、実施例２のシートバック２の構成について、図７を用いて説明する。なお、本実施例では、実施例１で示したシートバック２と実質的に同一の構成となる箇所については、これらと同一の符号を付して説明を省略し、異なる箇所について異なる符号を付して詳しく説明することとする。
【００４０】
本実施例では、シートバック２のパッド２Ｐが、１枚で構成されており、シートバックフレーム１０の前面部に高さ方向に複数個（５個）並んで設けられた各分割フレーム１３〜１７の前面部に跨って、シートバックフレーム１０の前面部を広く覆うように被せ付けられた状態としてセットされている。これにより、パッド２Ｐは、その表面全体に被せ付けられた表皮材２Ｃから受けるテンションにより、各分割フレーム１３〜１７を、通常時、互いに高さ方向に真っ直ぐに整列させた初期位置の状態に保持する保持力（弾発力）を発揮させるようになっている。
【００４１】
以上、本発明の実施形態を２つの実施例を用いて説明したが、本発明は上記実施例のほか各種の形態で実施することができるものである。例えば、本発明の「弾性部材」は、炭素繊維強化プラスチック製の可撓性を備えた縦長な棒状部材から成るものであってもよい。また、本発明の「弾性部材」は、各分割フレーム間を個々に繋ぐように個々の間にそれぞれ設定されるものであってもよい。また、「弾性部材」は、ゴム、樹脂、その他の弾性構造を備えるバネ等によって構成されたものであってもよい。
【００４２】
また、上記実施例では、シートバック２の高さ方向の全域に亘って分割フレーム１３〜１７が位置するように設けられたものを例示したが、高さ方向の一部（上部領域のみなど）にのみ分割フレームが設定されたものであってもよい。また、本発明の「揺動機構」は、上記実施例で示したような本体フレーム１１に形成されたレール１１Ｄ１〜１１Ｄ５に沿って各分割フレーム１３〜１７をスライドさせる構造に限定されず、各分割フレームにレールを形成し、本体フレームにレールを摺動可能に支えるガイドを設定した構成であってもよい。
【００４３】
また、上記実施例では、各分割フレーム１３〜１７が、それぞれ、本体フレーム１１に対して揺動可能に支えられて設けられた構成を例示したが、各分割フレームは、そのうちの一部が本体フレームに揺動可能に連結されて、残りの分割フレームが分割フレーム同士で揺動可能に連結されて支えられた構成となっているものであってもよい。また、上記実施例では、各分割フレームの揺動の中心軸が、着座者の身体が位置する前部、詳しくは着座者の骨盤の中心部を通る位置に設定されたものを例示した。しかし、各分割フレームの揺動の中心軸は、シートバックより前側の位置、詳しくは着座者の身体が位置するシートバックより前側の位置に設定されていればよい。上記各分割フレームの揺動の中心が、着座者の骨盤の中心部に近づけられることにより、近づけられた分だけ、着座者が体を左右に捩ったときに、各分割フレームを着座者の背部の形により適切に沿わせて移動させることができる。
【符号の説明】
【００４４】
１      車両用シート
２      シートバック
２Ｐ    パッド
２Ｃ    表皮材
３      シートクッション
３Ａ    サイドフレーム
４      ヘッドレスト
５      リクライニング装置
１０    シートバックフレーム
１１    本体フレーム
１１Ａ  サイドフレーム
１１Ｂ  アッパフレーム
１１Ｃ  ベースフレーム
１１Ｄ１〜１１Ｄ５  レール
１１Ｅ  ホルダー
１２    センターピラー（弾性部材）
１３    分割フレーム
１３Ａ  サイドフレーム
１３Ｂ  架橋フレーム
１３Ｃ  スライダ
１３Ｃ１  滑車
１３Ｄ  ピラーガイド
１４    分割フレーム
１４Ａ  サイドフレーム
１４Ｂ  架橋フレーム
１４Ｃ  スライダ
１４Ｃ１  滑車
１４Ｄ  ピラーガイド
１５    分割フレーム
１５Ａ  サイドフレーム
１５Ｂ  架橋フレーム
１５Ｃ  スライダ
１５Ｃ１  滑車
１５Ｄ  ピラーガイド
１６    分割フレーム
１６Ａ  サイドフレーム
１６Ｂ  架橋フレーム
１６Ｃ  スライダ
１６Ｃ１  滑車
１６Ｄ  ピラーガイド
１７    分割フレーム
１７Ｂ  架橋フレーム
１７Ｃ  スライダ
１７Ｃ１  滑車
１７Ｄ  ピラーガイド
Ｓｓ    揺動機構
【図１】
2014057623.tif 000003
【図２】
2014057623.tif 000004
【図３】
2014057623.tif 000005
【図４】
2014057623.tif 000006
【図５】
2014057623.tif 000007
【図６】
2014057623.tif 000008
【図７】
2014057623.tif 000009